(57)【要約】【課題】尿と便とを確実に分離することができる使い捨ておむつ。【解決手段】使い捨ておむつ１の股下域８が、股下域８を横断する第１折曲線３５と、第１折曲線３５よりも前方にある第２折曲線３６と、第１折曲線３５よりも後方にある第３折曲線３７とにおいて折曲されて、股下域８の幅を二等分する位置での股下域８の断面がＷ字形を画く。股下域８は、第２折曲線３６を境にして対向する股下域８の側縁部どうしが接合して前方ポケット２０を形成し、第３折曲線３７を境にして対向する股下域８の側縁部どうしが接合して後方ポケット２１を形成する。【選択図】図２
2008302024.tif 000002
【特許請求の範囲】
【請求項１】
互いに直交する前後方向と横方向と上下方向とを有し、前記前後方向の前方には前胴周り域が形成される一方、後方には後胴周り域が形成されていて、これら両域間には股下域が形成されており、前記股下域には尿と便とを分離してこれらが前記前後方向へ流れて混合されることを防止可能な分離手段を備えている使い捨ておむつであって、
前記股下域は、前記前後方向のほぼ中央において前記股下域を横断する第１折曲線と前記第１折曲線よりも前方で前記股下域を横断する第２折曲線と前記第１折曲線よりも後方で前記股下域を横断する第３折曲線とにおいて折曲されていて、前記おむつの前記横方向の寸法を二等分する位置においての断面が前記第１折曲線を中央にしたＷ字形を画き、前記第２折曲線を境界にして対向する前記股下域どうしは互いの側縁部が接合して前方ポケットを形成し、前記第３折曲線を境界にして対向する前記股下域どうしは互いの側縁部が接合して後方ポケットを形成し、これら前方ポケットと後方ポケットとで前記分離手段を形成していることを特徴とする前記おむつ。
【請求項２】
前記前胴周り域と前記後胴周り域とが前記横方向両側それぞれにおいて互いに接合していてパンツ型を呈している請求項１記載のおむつ。
【請求項３】
前記前胴周り域と前記後胴周り域とが、前記横方向両側の少なくとも一方において、ファスナ手段を介して開閉可能に形成されている請求項１記載のおむつ。
【請求項４】
前記股下域は、透液性シートと不透液性シートとの間に体液吸収性芯材が介在してなる体液吸収構造を有するが、前記股下域のうちの少なくとも前記第１折曲線に沿う部分には前記芯材が含まれていない請求項１〜３のいずれかに記載のおむつ。
【請求項５】
前記前方ポケットの前記横方向の寸法が前記後方ポケットの前記横方向の寸法よりも小さい請求項１〜４のいずれかに記載のおむつ。
【請求項６】
前記中心線に沿う前記第１折曲線から前記第２折曲線までの寸法が前記第１折曲線から前記第３折曲線までの寸法よりも小さい請求項１〜５のいずれかに記載のおむつ。
【発明の詳細な説明】
【技術分野】
【０００１】
この発明は使い捨てのおむつに関し、より詳しくは尿と便とを分離することが可能な分離手段を備えた使い捨ておむつに関する。
【背景技術】
【０００２】
使い捨ておむつにおいて、尿と便とが前後方向に流れて混合されることがないように、尿と便とを分離するための手段を備えたものは公知である。例えば、特開平８−３２２８７８号公報（特許文献１）には、股下域において幅方向へ延びるフラップが形成された使い捨ておむつが開示されている。このフラップによって、尿と便とを分離することができる。また、特開２００５−２９６２３０号公報（特許文献２）に開示の使い捨ておむつでは、体液吸収部が、その後方に形成された第１パネル部と、前方に形成された第２パネル部と、これら第１，第２パネル部の間に形成された第３パネル部とを有する。これら第１，第２，第３パネル部は、体液吸収部を前後方向において折り重ねることにより形成されていて、第２パネル部の一部分が防漏カフに接合している。この使い捨ておむつでは、第１パネル部と第２パネル部との間におむつの後方に向かって開口するポケットが形成される。便はそのポケットに流入する一方、尿はポケットよりも前方に排泄されるので、尿と便との混合を防ぐことができる。さらにはまた、特開２００５−２９６４３５号公報（特許文献３）に開示の使い捨ておむつは、体液吸収部をその前後方向において逆Ｖ字形を画くように折曲することが可能な折曲案内手段を有する。その折曲案内手段は、おむつの股下域を横断している。体液吸収部では、それが逆Ｖ字形を画くように折曲されることで、おむつの後方に向かって開口するポケットを形成し、そのポケットに便を流入させることができる。
【特許文献１】特開平８−３２２８７８号公報
【特許文献２】特開２００５−２９６２３０号公報
【特許文献３】特開２００５−２９６４３５号公報
【発明の開示】
【発明が解決しようとする課題】
【０００３】
特開平８−３２２８７８号公報に開示の使い捨ておむつでは、股下域に形成されたフラップの頂部に弾性部材が伸長状態で取り付けられている。股下域の幅が小さくなるようにおむつが変形すると、その弾性部材が収縮して、フラップをおむつの内面から起立させる。起立したフラップは、尿や便が前後方向へ流れることを止める障壁となる。かようなおむつでは、股下域がその幅を小さくするように変形することによってフラップを起立させるものであるから、おむつの着用状態によっては、フラップがその機能を発揮し得るほどには起立しないという場合がある。その場合には、尿と便とを分離することが難しくなる。
【０００４】
特開２００５−２９６２３０号公報に開示のおむつでは、防漏カフがおむつの前後方向において収縮するときに、第２パネル部を股下域の上方に吊り上げることによってポケットを大きく開口させ、そのポケットに便を流入させようとするものであるから、このおむつには防漏カフが不可欠であるという難点がある。
【０００５】
特開２００５−２９６４３５号公報の使い捨ておむつでは、折曲案内手段が股下域を横断しているので、股下域がその折曲案内手段を使って折り重ねられたときに、重なり合う股下域どうしの間から尿や便が漏れやすいという場合がある。
【０００６】
そこで、この発明では、おむつの着用状態によらずに尿と便とを確実に分離することができるように、従来の使い捨ておむつに改良を施すことを課題にしている。
【課題を解決するための手段】
【０００７】
前記課題を解決するために、この発明が対象とするのは、互いに直交する前後方向と横方向と上下方向とを有し、前記前後方向の前方には前胴周り域が形成される一方、後方には後胴周り域が形成されていて、これら両域間には股下域が形成されており、前記股下域には尿と便とを分離してこれらが前記前後方向へ流れて混合されることを防止可能な分離手段を備えている使い捨ておむつである。
【０００８】
かかるおむつにおいて、この発明が特徴とするところは、次のとおりである。前記股下域は、前記前後方向のほぼ中央において前記股下域を横断する第１折曲線と前記第１折曲線よりも前方において前記股下域を横断する第２折曲線と前記第１折曲線よりも後方で前記股下域を横断する第３折曲線とにおいて折曲されていて、前記おむつの前記横方向の寸法を二等分する位置においての断面が前記第１折曲線を中央にしたＷ字形を画く。前記第２折曲線を境界にして対向する前記股下域どうしは、互いの側縁部が接合して前方ポケットを形成する。前記第３折曲線を境界にして対向する前記股下域どうしは、互いの側縁部が接合して後方ポケットを形成する。これら前方ポケットと後方ポケットとによって、前記分離手段を形成する。
【０００９】
この発明の好ましい実施態様の一つにおいて、前記前胴周り域と前記後胴周り域とは、前記横方向両側それぞれにおいて互いに接合していてパンツ型を呈している。
【００１０】
この発明の好ましい実施態様の他の一つにおいて、前記前胴周り域と前記後胴周り域とは、前記横方向両側の少なくとも一方において、ファスナ手段を介して開閉可能に形成されている。
【００１１】
この発明の好ましい実施態様の他の一つにおいて、前記股下域は、透液性シートと不透液性シートとの間に体液吸収性芯材が介在してなる体液吸収構造を有するが、前記股下域のうちの少なくとも前記第１折曲線に沿う部分には前記芯材が含まれていない。
【００１２】
この発明の好ましい実施態様の他の一つにおいて、前記前方ポケットの前記横方向の寸法が前記後方ポケットの前記横方向の寸法よりも小さい。
【００１３】
この発明の好ましい実施態様のさらに他の一つにおいて、前記中心線に沿う前記第１折曲線から前記第２折曲線までの寸法が前記第１折曲線から前記第３折曲線までの寸法よりも小さい。
【発明の効果】
【００１４】
この発明に係る使い捨ておむつは、股下域がＷ字形を画くように前後方向へ折曲されていて、股下域の前後方向のほぼ中央における第１折曲線よりも前方に前方ポケットが形成され、第１折曲線よりも後方に後方ポケットが形成されるから、着用状態にあるおむつでは、その着用状態の如何にかかわらず、尿が前方ポケットに流入し、便が後方ポケットに流入して、尿と便とを確実に分離することができ、尿と便との混合の防止が可能になる。
【００１５】
前胴周り域と後胴周り域との側縁部どうしが接合しておむつがパンツ型を呈している形態のこの発明では、そのおむつを着用すれば、着用状態の如何にかかわらず前方ポケットと後方ポケットとが形成されるので、尿と便との分離が確実になる。
【００１６】
前胴周り域と後胴周り域との側部どうしがファスナ手段を介して開閉可能である形態のこの発明では、おむつを着用するときに、前胴周り域を前倒しにすると、ペニスを前方ポケットへ納めることが容易になる。
【００１７】
股下域が体液吸収構造を有してはいても、第１折曲線に沿う部分には体液吸収性芯材が含まれていない形態のこの発明では、第１折曲線に沿って股下域を折曲することが容易になる。
【００１８】
前方ポケットの幅が後方ポケットの幅よりも小さいこの発明では、ペニスを前方ポケットに確実に納めおくことができ、前方ポケットの外で尿を排泄するということがない。
【００１９】
第１折曲線から第２折曲線までの寸法が第１折曲線から第３折曲線までの寸法よりも小さい形態のこの発明では、前方ポケットが後方ポケットよりも小さくなっておむつの前後の識別が容易になる。
【発明を実施するための最良の形態】
【００２０】
添付の図面を参照してこの発明に係る使い捨てのおむつの詳細を説明すると、以下のとおりである。
【００２１】
図１は、パンツ型に作られた使い捨ておむつ１の斜視図である。図のおむつ１は、着用されるときの状態にあって、互いに直交する前後方向Ａと横方向Ｂと上下方向Ｃとを有する。おむつ１はまた、前胴周り域６と、後胴周り域７と、股下域８とを有し、前後胴周り域６，７は、横方向Ｂの両側それぞれにおける互いの側縁部１０，１１が合掌状に重なり合い、上下方向Ｃへ間欠的に並ぶ接合部１３において接着または溶着によって接合している。前後胴周り域６，７によって胴周り開口１４が画成されており、前後胴周り域６，７と股下域８とによって脚周り開口１６が画成されている。股下域８には、前方ポケット２０と後方ポケット２１とが形成されている。これらポケット２０，２１では、両側部に接合部２０ａ，２１ａが形成されている。
【００２２】
図２，３は、おむつ１を部分的に破断して示す図１と同様な図と、図１のＩＩＩ−ＩＩＩ線断面図とであって、ＩＩＩ−ＩＩＩ線はおむつ１の横方向Ｂの寸法、即ち幅を二等分する中心線Ｃ−Ｃ（図４参照）に一致している。前後胴周り域６，７では、上縁部２４，２５に胴周り開口１４の周方向へ延びる複数条の糸状弾性部材２６，２７が伸長状態で取り付けられている。股下域８では、前方ポケット２０の縁部２８に帯状弾性部材３０が伸長状態で取り付けられており、後方ポケット２１の縁部２９に帯状弾性部材３１が伸長状態で取り付けられている。股下域８はその幅を二等分する位置にある図３の断面がほぼＷ字形を画くことによって前方ポケット２０と後方ポケット２１とが形成されるように、前後方向Ａにおいて折曲されている。図３には、前方ポケット２０と後方ポケット２１との境界である中央折曲部３５と、前方ポケット２０の底部である前方折曲部３６と、後方ポケット２１の底部である後方折曲部３７とが現れていて、中央折曲部３５が第１の折曲線である山折りとなり、前方折曲線３６が第２の折曲線である谷折りとなり、後方折曲線３７が第３の折曲線である谷折りとなるように股下域８が折曲されている。前方ポケット２０と後方ポケット２１とは、透液性内面シート２と不透液性外面シート３とこれら両シート２，３の間に介在する体液吸収性芯材４とからなる体液吸収性構造を含んでいる。前後胴周り域６，７の内側では、捲縮した複合繊維によって形成されている肌触りの柔軟なサーマルボンド不織布が肌当てシート３８，３９として使用されている。肌当てシート３８，３９は、好ましくは吸汗性を有している。ただし、前後胴周り域６，７の上縁部２４，２５では、外面シート３の部分４２，４３がおむつ１の内側へ折り返されており、これらの部分４２，４３が肌当てシート３８，３９を部分的に覆っている。
【００２３】
かように形成されているおむつ１では、それを着用するときに、左右の脚周り開口１６のそれぞれに脚を入れておむつ１を引き上げると、中央折曲部３５がおむつ着用者（図示せず）の鼠蹊部に接触したところでおむつ１が停止して、それよりも上には引き上げることができなくなる。停止したおむつ１では、前方ポケット２０が着用者の前胴周り域６の側にあって、尿が排泄されるときに、その尿を流入させることができる。後方ポケット２１は、後胴周り域７の側にあって、便が排泄されるときに、その便を流入させることができる。このように、おむつ１では、脚周り開口１６に脚を挿入すれば、鼠蹊部の前方に前方ポケット２０が確実に形成され、鼠径部の後方に後方ポケット２１が確実に形成される。しかも、おむつ１の引き上げ状態の如何にかかわらず、これら両ポケット２０，２１は、外性器や肛門に対する位置がずれたり、形状が崩れたりするということがない。それゆえにまた、おむつ１では、尿と便とが確実に分離され、混合状態になることがない。おむつ１ではまた、股下域８がポケット２０と２１とで形成されていて、着用したおむつ１を引き上げたときに着用者の股部に接触するのは主として中央折曲部３５と前方ポケット２０の縁部２８と後方ポケット２１の縁部２９とになる。それゆえ、おむつ１を着用しているときに、股部の広い面積にわたっておむつ１が接触して股部が蒸れ易い、ということがない。このようなおむつ１ではまた、例えば高吸水性ポリマー粒子を含む芯材４が体液を吸収して芯材４の体積が著しく増大しても、その芯材４は股部を圧迫することがなく、着用感がよい。
【００２４】
図４は、図１のおむつ１において、接合部１３で互いに接合していた前後胴周り域６，７を剥離すると同時に、部位２０ａ，２１ａで互いに接合していた股下域８どうしも剥離して得られるおむつ１ａの内側を示す図であって、おむつ１ａは前後胴周り域６，７と股下域８とが前後方向Ａと横方向Ｂとに伸展した状態にある。図４で明らかなように、前後胴周り域６，７と股下域８とは、これらの外面全体が不織布からなる外面シート３ａで形成されており、その外面シート３ａの股下域８と、前胴周り域６の一部分と、後胴周り域７の一部分との内側が不透液性プラスチックフィルムからなる第２外面シート３ｂによって裏打ちされている。第１，第２外面シート３ａ，３ｂは接着または溶着によって一体化して分離不能な状態にあり、実質的な意味において不透液性である外面シート３を形成している。第２外面シート３ｂの内側には、芯材４があり、その芯材４が透液性不織布や透液性開孔プラスチックフィルムで形成された内面シート２によって被覆されている。その内面シート２は、芯材４の周縁部から延出しており、その延出する部分において第２外面シート３ｂに剥離不能に接合している。前胴周り域６において、内面シート２の内側には肌当てシート３８が設けられている。肌当てシート３８は、それと対向する内面シート２、第１外面シート３ａ、第２外面シート３ｂに対してホットメルト接着剤（図示せず）を介して接合している。後胴周り域７において、内面シート２の内側には肌当てシート３９が設けられている。肌当てシート３９は、それと対向する内面シート２、第１外面シート３ａ、第２外面シート３ｂに対してホットメルト接着剤（図示せず）を介して接合している。好ましい肌当てシート３８，３９は、横方向Ｂに弾性的に伸長・収縮可能なもので、それが横方向Ｂに伸長した状態で第１外面シート３ａ等に接合しており、おむつ１の着用者の胴周りに対して前胴周り域６と後胴周り域７とを弾性的にフィットさせることができる。肌当てシート３８，３９と第１外面シート３ａとの間にある胴周り弾性部材２６，２７は、第１外面シート３ａと肌当てシート３８，３９とのいずれかに対して伸長状態で接合している。肌当てシート３８，３９によって、第２外面シート３ｂが肌に接触することを防ぐことができる。
【００２５】
図４における股下域８は、おむつ１の前後方向Ａのほぼ中央において股下域８を横断する第１折曲線としての中央折曲部３５によって前後に二分されていて、前方ポケット２０を形成する前方部分５０と後方ポケット２１を形成する後方部分５１とを有する。前方部分５０は、中央折曲部３５の前方において股下域８を横断する第２の折曲線としての前方折曲部３６に関してほぼ対称で、かつ前方折曲部３６上において横方向Ｂの寸法が最も小さくなるように形成されている。前方部分５０の両側縁部５２は、前方折曲部３６よりも前方の第１側縁部５２ａと、前方折曲部３６よりも後方の第２側縁部５２ｂとに分かれている。後方部分５１は、中央折曲部３５の後方において股下域８を横断する第３の折曲線としての後方折曲部３７に関してほぼ対称で、かつ後方折曲部３７上において横方向Ｂの寸法が最も小さくなるように形成されている。後方部分５１の両側縁部５３は、後方折曲部３７よりも前方の第３側縁部５３ａと後方折曲部３７よりも後方の第４側縁部５３ｂとに分かれている。前方部分５０と後方部分５１とは、おむつ１の幅を二等分する中心線Ｃ−Ｃ上に位置する連結部５４においてつながっているが、連結部５４の横方向Ｂにおける両側では、中央折曲部３５の延長上に形成されたスリット５６によって前後方向Ａにおいて分離している。前方部分５０と後方部分５１ではまた、脚周り弾性部材３０，３１がスリット５６に並行して延びている。中心線Ｃ−Ｃ上において、中央折曲部３５から前方折曲部３６までの寸法ＬＦは、中央折曲部３５から後方折曲部３７までの寸法ＬＲよりも短い。
【００２６】
かようなおむつ１ａから図１のおむつ１を得る手順は、次のとおりである。おむつ１ａは、中央折曲部３５が山折りとなり、前方折曲部３６と後方折曲部３７とが谷折りとなるようにして、前後方向Ａへ折り重ねる。そのときに、股下域８においては、前方部分５０のうちの第１側縁部５２ａと第２側縁部５２ｂとを接着または溶着により水密状態となるように接合する。また、後方部分５１のうちの第３側縁部５３ａと第４側縁部５３ｂとを接着または溶着により水密状態となるように接合する。前後胴周り域６，７においては、側縁部１０，１１を部位１３で接合する。かくして、股下域８に深さの浅い前方ポケット２０と深さの深い後方ポケット２１とを有するおむつ１が形成される。スリット５６は、おむつ１における脚周り開口１６の一部分となる。
【００２７】
この発明に係るおむつ１において、図示例の如く外面シート３が不織布製の第１外面シート３ａとプラスチックフィルム製の第２外面シート３ｂとによって形成される場合には、その不織布には通気性のよいものを使用し、プラスチックフィルムには不透液性のものを使用し、かつ、外面シート３において不透液性が不可欠である部位においてのみ、第１外面シート３ａを第２外面シート３ｂで裏打ちするならば、通気性と不透液性とにおいて優れた外面シート３を得ることができる。しかし、外面シート３は、このような例に代えて、同形同大の第１外面シート３ａと第２外面シート３ｂとを使用して作ることもできれば、不透液性のプラスチックフィルムだけで作ることもできる。
【００２８】
肌当てシート３８，３９が横方向Ｂにおいて弾性的に伸長・収縮可能な不織布であって、外面シート３が横方向Ｂにおいて非伸長性のものである場合には、肌当てシート３８，３９を横方向Ｂへ伸長した状態で外面シート３に接合するならば、その外面シート３には横方向Ｂへ伸展可能な複数の襞が生じて、前後胴周り域６，７が横方向Ｂへ、換言すると胴周り方向へ弾性的に伸長・収縮可能なものになる。ただし、この発明は、肌当てシート３８，３９を使用することなく実施することも可能である。
【００２９】
図示例のおむつ１において、前方ポケット２０は、横方向Ｂの寸法と上下方向Ｃの寸法とが後方ポケット２１におけるそれらの方向Ｂ，Ｃの寸法よりも小さく作られているから（図１，３，４参照）、これら両ポケット２０，２１の大きさの違いによって、おむつ１はその前後を判別することが容易になる。また、前方ポケット２０のその大きさは、それに納めたペニスが徒に動くことのない程度にすることによって、おむつ１のフィット感を良好なものにすることができる。しかしながら、これら両ポケット２０，２１の大きさを同じにして、この発明を実施することも可能である。図示例においてはまた、前方ポケット２０と後方ポケット２１とをつなぐ連結部５４が、互いに重なり合う内面シート２と第１，第２外面シート３ａ，３ｂとによって形成されていて芯材４を含むことがなく、股下域８は中央折曲部３５における折曲が容易となるように作られているが、連結部５４が芯材４を含む態様でこの発明を実施することも可能である。さらにはまた、図４において一体的に形成されている前方ポケット２０と後方ポケット２１とは、それぞれを別体のものとして作っておき、それを互いに連結することで股下域８が形成されるようにすることもできる。
【００３０】
図５，６は、この発明の一実施形態であるおむつ１についての図１と同様な図と、そのおむつ１の使用形態を示す図である。図５のおむつ１では、横方向Ｂの両側それぞれにおいて、前胴周り域６と後胴周り域７とが、後胴周り域７に取り付けられているテープ状ファスナ６１を介して開放可能に閉じている。前胴周り域６は、それからファスナ６１を外して矢印Ｅで示す前方に向かって倒すことができる。図６のおむつ１では、その前胴周り域６が前方に向かって倒れていて、前方ポケット２０の開口部が現れている。仰向けになった男性におむつ１をはかせるときに、後胴周り域７を予めその男性の背側に当てておき、前胴周り域６を図６の如くに前方に倒すと、前方ポケット２０へペニスを納めることが容易になる。なお、この発明において、前後胴周り域６，７は、おむつ１の両側のうちの一方において図５に示すファスナ６１を使用して開閉可能にしておき、両側のうちのもう一方において図１に示すように接合しておくこともできる。
【００３１】
図７は、図１のおむつ１の使用形態の一例を示している。図７における（ａ）のおむつ１は、図１のおむつ１が平らに畳まれていて、前胴周り域６と後胴周り域７とが重なり合い、前方ポケット２０と後方ポケット２１とが重なり合っている。前方ポケット２０の前面２０ａには、動物の目と鼻孔とを模した図形６４，６５が画かれている。おむつ１の胴周り開口１４には、片手６３の手のひらを矢印Ｆで示す方向から挿入することができる。図７における（ｂ）のおむつ１は、片手６３の指を前方ポケット２０と後方ポケット２１とに入れて、これら両ポケット２０，２１を前後方向Ａへ動かすことにより、前方ポケット２０の後面２０ｂと、この後面２０ｂと向かい合う後方ポケット２１の前面２１ａとが離間した状態にあって、後方ポケット２１の前面２１ａには、前方ポケット２０によって覆われていた図形６６が現れている。おむつ１は、それを図７の（ａ）の状態から（ｂ）の状態へと変化させて図形６６が見えるようにすることによって、おむつ２１を着用させようとする乳幼児におむつ１についての関心を持たせることができる。
【産業上の利用可能性】
【００３２】
この発明によれば、尿と便との混合を防ぐことが可能なポケットを有する使い捨ておむつの製造が可能になる。
【図面の簡単な説明】
【００３３】
【図１】おむつの斜視図。
【図２】図１のおむつを部分的に破断して示す図。
【図３】図１のＩＩＩ−ＩＩＩ線断面図。
【図４】分解したおむつを伸展して示す図。
【図５】実施形態の一例であるおむつについての図１と同様な図。
【図６】前胴周り域が前方に向かって倒れている図５のおむつの斜視図。
【図７】図１のおむつの使用形態の一例を示す図であって、（ａ）は平らに畳まれたおむつを示し、（ｂ）は前方ポケットと後方ポケットとが離間しているおむつを示す。
【符号の説明】
【００３４】
１    おむつ
２    透液性シート（内面シート）
３，３ｂ    不透液性シート（外面シート、第２外面シート）
４    芯材
６    前胴周り域
７    後胴周り域
８    股下域
１０    側縁部
１１    側縁部
２０    前方ポケット
２１    後方ポケット
３５    第１折曲線（中央折曲部）
３６    第２折曲線（前方折曲部）
３７    第３折曲線（後方折曲部）
５２，５２ａ，５２ｂ    側縁部
５３，５３Ａ，５３ｂ    側縁部
６１    ファスナ手段
Ａ    前後方向
Ｂ    横方向
Ｃ    上下方向
ＬＦ    寸法
ＬＲ    寸法
【図１】
2008302024.tif 000003
【図２】
2008302024.tif 000004
【図３】
2008302024.tif 000005
【図４】
2008302024.tif 000006
【図５】
2008302024.tif 000007
【図６】
2008302024.tif 000008
【図７】
2008302024.tif 000009